(57)【要約】      （修正有）【課題】作業対象の光ケーブルであることの確認作業を光ケーブルを損傷させることなしに確認可能であり、切断対象以外の光ケーブルの誤切断を確実に防止するとともに、テープ心線の分岐作業に必要な種々の機能をまとめた光ファイバケーブル加工工具を提供する。【解決手段】ペンチ状に構成される光ファイバケーブル加工工具１であって、ハンドル部２ａ，３ａ側に光ファイバを切断する刃部５を備え、反対側の挟持部２ｂ，３ｂでは光ケーブルの湾曲を行うストレス付加部６及び鑢部７とを備える。【選択図】図１
2013205668.tif 000002
【特許請求の範囲】
【請求項１】
回転接合部を通じて互いに中腹で接合された第１桿体部と第２桿体部とを備え、当該第１桿体部と第２桿体部は各々、前記回転接合部の一方がハンドル部となり、他方が狭持部となってペンチ状に構成された光ファイバケーブル加工工具であって、
前記狭持部は、前記光ファイバケーブルを一時的に湾曲させて光信号の変化により作業対象の光ファイバケーブルを確認するストレス付加部を備え、
当該ストレス付加部は、前記第１桿体部の狭持部に配された凹状部と、前記第２桿体部の狭持部に配された凸状部を備え、当該凹状部と凸状部とは相補的な凹凸形状をなし、当該凹状部と凸状部との間に前記光ファイバケーブルを介して狭持することを特徴とする光ファイバケーブル加工工具。
【請求項２】
前記凹状部と凸状部との噛み合わせ面は、前記光ファイバケーブルの許容曲げ半径以上の曲率の曲面形状で構成されていることを特徴とする請求項１に記載の光ファイバケーブル加工工具。
【請求項３】
前記ハンドル部の前記回転接合部に対する基端部に光ファイバケーブルを切断する刃部を備えることを特徴とする請求項１又は請求項２に記載の光ファイバケーブル加工工具。
【請求項４】
前記狭持部は、さらに前記光ファイバケーブルの樹脂製被覆を取り除く鑢部を備えることを特徴とする請求項１乃至請求項３のうち、いずれか１に記載の光ファイバケーブル加工工具。
【請求項５】
前記鑢部は、光ファイバケーブルのテープ心線の樹脂製被覆を取り除くことを特徴とする請求項４に記載の光ファイバケーブル加工工具。
【請求項６】
前記狭持部は、前記光ファイバケーブルの切断以外の加工を行う加工部であることを特徴する請求項３に記載の光ファイバケーブル加工工具。
【発明の詳細な説明】
【技術分野】
【０００１】
本発明は、光ファイバケーブルの分岐作業に使用する光ファイバケーブル加工工具に関するものである。
【背景技術】
【０００２】
高速、大容量で情報の伝達が可能な光ファイバは、情報化社会の通信媒体として非常に重要な役割を果たしている。その中で、光ファイバ素線を２本、４本、８本と平行に並べ、それらを共に樹脂で外側を覆ったテープ心線は信号伝送の高密度化に貢献している。
【０００３】
光ファイバケーブル（以下光ケーブルと記載する）の幹線又は支線から個別のラインへ分岐を行う場合、分岐場所において複数のテープ心線を有する光ケーブルの中から、分岐対象となるテープ心線を選別し、さらに必要な単芯のみを抽出・切断して分岐先の光ケーブルに接合したり、分岐装置（クロージャ）や、光回線終端装置等に接続する、という作業が行われている。
【０００４】
以下に現状の作業手順について図５及び図６を用いて説明する。図５は、光ファイバケーブル幹線から切断・分岐対象のテープ心線を選別し、切断対象の単芯分離作業までの経過を示す説明図であり、（ａ）は幹線のケーブルの被覆を除去した状況を示し、（ｂ）は作業対象のテープ心線を選別した状況を示し、（ｃ）は作業対象のテープ心線より単芯分離を行った状況を示し、（ｄ）は（ｃ）の単芯分離したテープ心線の拡大斜視図を示している。図６は、光ケーブルの従来の切断方法を示す説明図である。尚、本説明においては４心のテープ心線を用いる。
【０００５】
図５（ａ）に示すように、まず、作業対象となるテープ心線１１及び他のテープ心線１２を含む光ファイバケーブル幹線１０の外側の樹脂製の被覆部１０ａを除去する。次に、図５（ｂ）に示すように、露出したテープ心線１１，１２の束の中から、分岐対象のテープ心線１１を選別する。
【０００６】
選別したテープ心線が分岐対象のテープ心線１１であることの確認は、ＯＴＤＲ（光パルス試験器）等を使って行う。ＯＴＤＲは測定される光ファイバにパルス光を入射し、そのパルス光により入射端に戻ってくる微弱な反射光を測定することにより、光ファイバの接続損失、反射減衰量、さらにはその地点までの距離を測定する測定器である。
【０００７】
そのため、選別したテープ心線が分岐対象のテープ心線１１であることの確認は、ＯＴＤＲにより、分岐対象の光ファイバ経路の伝送損失を測定しながら、選別したテープ心線を一時的に曲げることにより発生する測定光の損失変化によって行っている。この場合、テープ心線を曲げるのは手で行っているのが実情である。
【０００８】
次に、図５（ｃ）及び（ｄ）に示すように、分岐対象のテープ心線１１を他のテープ心線１２より分離した状態で、さらに以下の手順に従ってテープ心線１１を個々の単芯に分離する、単芯分離の作業を行う。
【０００９】
まず、表面が鑢形状をした単芯分離工具を使ってテープ心線１１の被覆部１１ｅを必要な長さだけ剥し、テープ心線１１をバラバラにして（図５（ｄ）参照）、テープ心線１１から、作業対象の単芯１１ｄを取り出す。次に、ブラシ（市販の歯ブラシ等）を使って、前記鑢形状をした単芯分離工具で被覆を剥した部分を梳いて、分岐対象のテープ心線１１の被覆部１１ｅを完全に除去する。さらに、取り出した芯線１１ｄに付着しているテープ心線の被覆部１１ｅの残渣を、アルコールを含ませたコットン等で拭き取る。
【００１０】
これらの作業を行う際には、単芯分離した作業対象の単芯１１ｄが他の単芯１１ａ，１１ｂ，１１ｃに紛れ込んで見失うことがないように注意する必要がある。
【００１１】
単芯分離した単芯１１ｄに手で曲げてストレスをかけ、作業対象の単芯であることを再確認し、図６に示すように、ニッパ１６（従来の切断具）を用いて、作業対象の単芯１１ｄを切断し、分岐を行う。
【００１２】
尚、単芯１１ｄを他の光ケーブルに接合、又は、分岐装置（クロージャ）や、光回線終端装置等に接続する場合は、分岐先においてさらに、光ファイバ切断用の専用工具により単芯１１ｄの先端部の切断を再度行い、切断部の断面形状が光信号の伝搬に影響を与えないようにする。
【００１３】
単芯分離した切断対象以外の単芯１１ａ，１１ｂ，１１ｃや、他のテープ心線１２が至近距離に存在する状況での切断作業であるため、切断対象以外の単芯１１ａ，１１ｂ，１１ｃや、他のテープ心線１２を誤って切断してしまう事故が想定される。他の単芯や、テープ心線は分岐作業中も実際に使用されている場合があり、光ケーブルの誤切断は、光ケーブル分岐作業において最も避けなければならない事態の一つである。
【００１４】
図６に示すように、光ケーブルの誤切断を防止するべく、ニッパ１６の刃部と切断対象の単芯１１ｄとを直視できる状態として、他の光ケーブルがニッパ１６の刃と刃との向い合う切断空間Ｓ３に混入していないことを確認することが必要である。
【００１５】
そのため、切断作業者は片手（作業者の手１８）で切断対象の単芯１１ｄを固定し、もう一方の片手でニッパ１６を切断対象の単芯１１ｄの奥からニッパ１６の刃部を差し入れて、作業者自身の方向に切断空間Ｓ３が解放された状態として、切断空間Ｓ３に他の光ケーブルが混入していないことを直視して確認し、切断対象の単芯１１ｄの切断を行う。
【００１６】
その後、切断したセンター側の単芯１１ｄを宅内等に引き込み、分岐先の光ケーブルに接合したり、分岐装置（クロージャ）や、光回線終端装置等に接続する。
【先行技術文献】
【特許文献】
【００１７】
【特許文献１】登録実用新案第３１０６８８６号公報
【発明の概要】
【発明が解決しようとする課題】
【００１８】
しかしながら、従来は作業者の手でテープ心線又は単芯を一時的に曲げてストレスをかけ、測定光の損失変化により対象のテープ心線等であることを確認しているが、手による作業となっているため、過度に力を加えることにより、即ち、テープ心線等の許容曲げ半径以下に折り曲げることにより、テープ心線等に損傷を与えてしまう場合がある。
【００１９】
また、光ケーブルの通過経路によって分岐部分の作業スペースが制限されている場所では、スペース上の制約により、手をテープ心線又は単芯が存在する箇所まで差し入れることができない場合があり、対象のテープ心線等であることの確認が困難であり、作業効率が落ちていた。また、テープ心線等の余長が少ないような場合も同様に手で曲げることは困難である。
【００２０】
また、単芯分離した切断対象以外の単芯や、他のテープ心線が至近距離に存在する状況での切断作業であるため、切断対象以外の光ケーブルを誤って切断してしまう事故が想定され、誤切断を防止するべく、前述の如くニッパの刃部と切断対象の単芯とを直視できる状態で、注意深く切断作業を行う必要があり、作業者の負担となっていた。
【００２１】
また、図６に示すように、ニッパの刃部と切断対象の単芯とを直視できる状態とするべく、ニッパの刃部を差し入れて、作業者自身の方向に切断空間Ｓ３が解放された状態として単芯の切断を行っているが、ニッパの刃と刃との向い合う切断空間Ｓ３が解放されていることから、他の光ケーブルが切断空間Ｓ３に混入する可能性を否定できず、確実に他の光ケーブルの誤切断を防止することが求められている。
【００２２】
さらに、テープ心線からの単芯の分岐作業にあたっては、前述の通り、対象テープ心線の確認、単芯分離、対象単芯かの確認、単芯切断というように、作業工程が多く、工程ごとに異なる工具を用いたり、対象テープ心線の確認における不確実な手による曲げ作業等、作業効率の向上が求められている。
【００２３】
そこで、本発明は、上述の問題に鑑みてなされたものであり、作業対象の光ケーブルであることの確認が、光ケーブルを損傷させることなしに可能であり、切断対象以外の光ケーブルの誤切断を確実に防止するとともに、テープ心線の分岐作業に必要な種々の機能をまとめた光ファイバケーブル加工工具を提供することを目的とする。
【課題を解決するための手段】
【００２４】
上記目標達成のため、本発明は、回転接合部を通じて互いに中腹で接合された第１桿体部と第２桿体部とを備え、当該第１桿体部と第２桿体部は各々、前記回転接合部の一方がハンドル部となり、他方が狭持部となってペンチ状に構成された光ファイバケーブル加工工具であって、前記狭持部は、前記光ファイバケーブルを一時的に湾曲させて光信号の変化により作業対象の光ファイバケーブルを確認するストレス付加部を備え、当該ストレス付加部は、前記第１桿体部の狭持部に配された凹状部と、前記第２桿体部の狭持部に配された凸状部を備え、当該凹状部と凸状部とは相補的な凹凸形状をなし、当該凹状部と凸状部との間に前記光ファイバケーブルを介して狭持することを特徴とする。
【００２５】
また、本発明の光ファイバケーブル加工工具における前記凹状部と凸状部との噛み合わせ面は、前記光ファイバケーブルの許容曲げ半径以上の曲率の曲面形状で構成されていることを特徴とする。
【００２６】
また、本発明の光ファイバケーブル加工工具は、前記ハンドル部の前記回転接合部に対する基端部に光ファイバケーブルを切断する刃部を備えることを特徴とする。
【００２７】
また、本発明の光ファイバケーブル加工工具における前記狭持部は、さらに前記光ファイバケーブルの樹脂製被覆を取り除く鑢部を備えることを特徴とする。
【００２８】
また、本発明の光ファイバケーブル加工工具における前記鑢部は、光ファイバケーブルのテープ心線の樹脂製被覆を取り除くことを特徴とする。
【００２９】
また、本発明の光ファイバケーブル加工工具における前記狭持部は、前記光ファイバケーブルの切断以外の加工を行う加工部であることを特徴する。
【発明の効果】
【００３０】
本発明によれば、ストレス付加部の存在により、容易にテープ心線又は単芯を一時的に曲げてストレスをかけ、対象テープ心線等を確認することができるばかりか、凹状部と凸状部との噛み合わせ面が、光ケーブルの許容曲げ半径以上の曲率の曲面形状で構成されていることから、テープ心線等に過度に力を加えてしまう、即ち、許容曲げ半径以下に折り曲げることによって、テープ心線に損傷を与えてしまうことを防止可能である。
【００３１】
また、光ケーブルの通過経路によって分岐部分の作業スペースが制限されている場所であっても、光ファイバケーブル加工工具のストレス付加部をテープ心線又は単芯が存在する箇所まで差し入れることによって、対象のテープ心線であることの確認を行うことができ、作業効率を向上させることが可能である。また、テープ心線等の余長が少ないような場合であっても同様に対象のテープ心線であることの確認を行うことができ、作業効率を向上させることが可能である。
【００３２】
また、光ファイバケーブル加工工具のハンドル部の基端部側に光ケーブルを切断する刃部を備えているため、光ファイバケーブル加工工具を握る作業者の手とハンドル部により、閉ループ状となるため、一度、切断対象の光ケーブルのみを閉ループ内に入れてしまえば、その後、他の光ケーブルが閉ループ内に混入することを防止でき、確実に他の光ケーブルの誤切断を防止することができる。
【００３３】
また、本発明によれば、光ケーブルの切断を行う切断部が回転接合軸に対してハンドル部側に配されており、切断以外の加工を行うストレス付加部及び鑢部といった加工部が回転接合軸に対して狭持部側に配されて、切断部と加工部とが完全に分離されているため、加工部側で作業する場合であっても、間違って光ケーブルを誤切断してしまうようなことが確実に防止される。
【００３４】
また、切断部は、ハンドル部側に配されていることから、常に作業者側に向くこととなるため、作業者は他の光ケーブルが混入していないか容易に直視して確認可能である。
【００３５】
また、テープ心線からの単芯の分岐作業にあたっては、前述の通り、対象テープ心線の確認、単芯分離、対象単芯であることの確認、単芯切断というように、作業工程が多いものの、本発明によれば、テープ心線の分岐作業に必要な種々の機能を備えるため、多数の工具等を用意する必要がなく、作業効率の向上が図れる。
【図面の簡単な説明】
【００３６】
【図１】本発明の光ファイバケーブル加工工具における光ケーブルの切断方法を示す説明図である。
【図２】本発明の光ファイバケーブル加工工具を示す図で、（ａ）は正面図、（ｂ）は底面図、（ｃ）は左側面図である。
【図３】図２（ａ）の部分拡大図である。
【図４】本発明の光ファイバケーブル加工工具のストレス付加部のみの断面拡大図で、（ａ）は開放状態の図であり、（ｂ）は閉状態でテープ心線に負荷をかけている状態の図である。
【図５】光ファイバケーブル幹線から切断・分岐対象のテープ心線を選別し、切断対象の単芯分離作業までの経過を示す説明図であり、（ａ）は幹線のケーブルの被覆を除去した状況を示し、（ｂ）は作業対象のテープ心線を選別した状況を示し、（ｃ）は作業対象のテープ心線より単芯分離を行った状況を示し、（ｄ）は（ｃ）の単芯分離したテープ心線の拡大斜視図を示している。
【図６】光ケーブルの従来の切断方法を示す説明図である。
【発明を実施するための形態】
【００３７】
以下、本発明に係る光ファイバケーブル加工工具について図１乃至図４を参照しながら詳細に説明する。図１は、本発明の光ファイバケーブル加工工具における光ケーブルの切断方法を示す説明図である。図２は、本発明の光ファイバケーブル加工工具を示す図で、（ａ）は正面図、（ｂ）は底面図、（ｃ）は左側面図である。図３は、図２（ａ）の部分拡大図である。図４は、本発明の光ファイバケーブル加工工具のストレス付加部のみの断面拡大図で、（ａ）は開放状態の図であり、（ｂ）は閉状態でテープ心線に負荷をかけている状態の図である。尚、背景技術において説明したものと同一機能及び構成を有するものについては同一の参照符号を付して示し、その詳細な説明は省略する。
【００３８】
尚、本発明に係る光ファイバケーブル加工工具は、プライヤー状に構成され、ハンドル部の基端部側に光ファイバケーブルを切断する刃部を備え、反対側の挟持部では光ファイバケーブルの切断以外のストレス付加部や、鑢部といった加工を行う加工部を備えたことにより、作業対象の光ケーブルであることの確認が、光ケーブルを損傷させることなしに可能であり、切断対象以外の光ケーブルの誤切断を確実に防止するとともに、テープ心線の分岐作業に必要な種々の機能をまとめたものである。
【００３９】
［本発明の光ファイバケーブル加工工具の構成の概要］
本発明の光ファイバケーブル加工工具の構成の概要を図１乃至図３を用いて説明する。光ファイバケーブル加工工具１は、従来のペンチ等の手動工具に近似の形状を採るものであって、回転接合軸４を通じて互いに中腹で接合された長尺の第１桿体部２と、長尺の第２桿体部３とにより、全体形状がＸ字状に構成されている（図１参照）。
【００４０】
図１及び図２に示すように、第１桿体部２と第２桿体部３は各々、回転接合軸４の一方がハンドル部２ａ，３ａとなり、他方が狭持部２ｂ，３ｂとなっており、対向する２つのハンドル部２ａとハンドル部３ａを握ることにより、対向する狭持部２ｂと狭持部３ｂとの間の距離を狭め、光ファイバケーブル等の対象物の狭持が可能となっている。
【００４１】
尚、対向する２つのハンドル部２ａとハンドル部３ａとの間の空間を対向空間Ｓ１とし、対向する狭持部２ｂと狭持部３ｂとの間の空間を狭持空間Ｓ２とする（図１参照）。
【００４２】
本実施の形態における光ファイバケーブル加工工具１は、ハンドル部２ａ，３ａ側に、光ケーブル（テープ心線、テープ心線を構成する単芯）等の切断を行う刃部５（切断部）が配され、切断以外の作業を行う加工部が狭持部２ｂ，３ｂ側に配されている。
【００４３】
加工部としては、対象のテープ心線又は単芯の確認を行うストレス付加部６と、テープ心線の樹脂製の被覆部１１ｅ（図５（ｄ）参照）を取り除いて単芯分離を行う鑢部７とからなっている。
【００４４】
そのため、光ケーブルの切断を行う切断部としての刃部５がハンドル部２ａ，３ａ側に配されており、切断以外の加工を行うストレス付加部６及び鑢部７といった加工部が狭持部２ｂ，３ｂ側に配されて、切断部と加工部とが完全に分離されているため、加工部側で作業する場合であっても、間違って光ケーブルを誤切断してしまうようなことが確実に防止される。
【００４５】
［切断部の構成及び使用方法］
図３に示すように、切断部としての刃部５は、ハンドル部２ａ，３ａの回転接合軸４の根本となる基端部２ａ１，３ａ１の近傍に配されており、第１桿体部２の対向空間Ｓ１側に配された刃状の第１刃部５ａと、第２桿体部３の対向空間Ｓ１側に配された刃状の第２刃部５ｂとによって構成されている。
【００４６】
刃部５は、回転接合軸４のハンドル部２ａ，３ａ側に配されているため、例えば、図１に示すように単芯１１ｄの切断にあたっては、他の単芯１１ａ，１１ｂ，１１ｃを切断しないように、ハンドル部２ａ，３ａによって囲まれた対向空間Ｓ１内に切断対象の単芯１１ｄのみを入れる必要があり、一方のハンドルを切断対象の単芯１１ｄと他の単芯１１ａ，１１ｂ，１１ｃとの間の間隙Ｋ（図１参照）に差し入れることが必要となる。
【００４７】
そのため、一方のハンドルであるハンドル部３ａの先端部３ａ２側はハンドルが薄肉に構成され（薄肉部３ａ３）、かつ、もう一方のハンドルであるハンドル部２ａに比して少々短く構成されて、ハンドルを間隙Ｋに差し入れやすくなっている。また、指２本程度での操作性を考慮して幅広形状に構成されている（図１及び図２参照）。
【００４８】
切断部としての刃部５の使用方法について図１を用いて説明するに、対向する２つのハンドル部２ａとハンドル部３ａとを離間させるように開くことにより、第１刃部５ａと第２刃部５ｂとの間を開き、切断対象の単芯１１ｄと他の単芯１１ａ，１１ｂ，１１ｃとの間の間隙Ｋにハンドル部３ａを、その先端部３ａ２から薄肉部３ａ３を介して差し入れ、第１刃部５ａと第２刃部５ｂとの間に単芯１１ｄを置き（図１の状態）、ハンドル部２ａとハンドル部３ａとを握り、第１刃部５ａと第２刃部５ｂとの間の空間を閉じて単芯１１ｄの切断を行う。
【００４９】
その場合、光ファイバケーブル加工工具１のハンドル部２ａ，３ａの基端部２ａ１，３ａ１側に単芯１１ｄ等の光ケーブルを切断する刃部５を備えているため、光ファイバケーブル加工工具１を握る作業者の手１８とハンドル部２ａ，３ａにより、完全に閉じられた閉ループ状となるため、一度、切断対象の光ケーブル（単芯１１ｄ）のみを閉ループ内に入れてしまえば、その後、他の光ケーブル（他の単芯１１ａ，１１ｂ，１１ｃ）が閉ループ内に混入することを防止でき、確実に他の光ケーブルの誤切断を防止することができる。
【００５０】
また、刃部５は、ハンドル部２ａ，３ａ側に配されていることから、常に作業者側に向くこととなるため、作業者は他の光ケーブルが混入していないか容易に直視して確認可能である。
［加工部の概要］
図１に示すように、加工部は、前述の如く、対象のテープ心線又は単芯の確認を行うストレス付加部６と、テープ心線の樹脂製被覆を取り除いて単芯分離を行う鑢部７とからなっている。図３に示すように、本実施の形態においては、狭持部２ｂ，３ｂの回転接合軸４に対する根本となる基端部２ｂ１，３ｂ１側から、狭持部２ｂ，３ｂの先端部２ｂ２，３ｂ２側に向かって、ストレス付加部６、鑢部７の順に配されている。
【００５１】
［ストレス付加部の構成及び使用方法］
図３及び図４に示すように、加工部としてのストレス付加部６は、狭持部２ｂ，３ｂにおける回転接合軸４の根本となる基端部２ｂ１，３ｂ１の近傍に配されており、第１桿体部２の狭持空間Ｓ２（図１参照）側に配された第１ストレス付加部６ａと、第２桿体部３の狭持空間Ｓ２側に配された第２ストレス付加部６ｂとによって構成されている。
【００５２】
図４に示すように、第１ストレス付加部６ａは、ストレス付加部６の内側となる狭持空間Ｓ２側が、内部が滑らかな凹状に構成されて凹状部６ａ１を構成している。また、第２ストレス付加部６ｂも同様に狭持空間Ｓ２側が、内部が滑らかな凸状に構成されて凸状部６ｂ１を構成している。
【００５３】
凹状部６ａ１と凸状部６ｂ１とは、互いに補い合うような相補的な凹凸形状をなしており、凹状部６ａ１と凸状部６ｂ１との噛み合わせ面は、テープ心線１１又は単芯等の光ケーブルの許容曲げ半径以上の曲率の円弧形状で構成する。これによって、テープ心線等に過度に力を加えてしまう、即ち、許容曲げ半径以下に折り曲げることによって、テープ心線に損傷を与えてしまうことを防止可能である。
【００５４】
加工部としてのストレス付加部６の使用方法について説明するに、対向する２つのハンドル部２ａとハンドル部３ａとを離間させるように開くことにより、第１ストレス付加部６ａと第２ストレス付加部６ｂとの間を開き、図４（ａ）の如く、テープ心線１１等の光ケーブルを凹状部６ａ１と凸状部６ｂ１との間に位置させる。
【００５５】
次に、ハンドル部２ａとハンドル部３ａとを握り、第１ストレス付加部６ａと第２ストレス付加部６ｂとの間の空間を閉じてテープ心線１１を図４（ｂ）の如く、凹状部６ａ１と凸状部６ｂ１との間で軽く狭持して、湾曲させる。
【００５６】
この光ケーブルの狭持されている間の一時的な湾曲形状を利用して、光ケーブルの湾曲による光信号の変化により作業対象の光ケーブルであることの確認を行う。即ち、選別したテープ心線１１が分岐対象のテープ心線であることの確認は、ストレス付加部６によって光ケーブルを湾曲状態で軽く狭持し、前述のＯＴＤＲ（光パルス試験器）を用いて、分岐対象の光ファイバ経路の伝送損失を測定し、選別したテープ心線１１等の湾曲により生じる測定光の損失変化によって行う。
【００５７】
この場合、光ケーブルの通過経路によって分岐部分の作業スペースが制限されている場所であっても、ストレス付加部６がハンドル部２ａ，３ａとは反対側に配されていることから、テープ心線又は単芯の光ケーブルが存在する箇所まで差し入れることができれば、対象のテープ心線等かの確認を行うことができ、作業効率を向上させることが可能である。また、テープ心線等の余長が少ないような場合であっても同様に対象のテープ心線等であることの確認を行うことができ、作業効率を向上させることが可能である。
【００５８】
［鑢部の構成及び使用方法］
図１、図３及び図５（ｄ）に示すように、加工部としての鑢部７は、テープ心線１１の樹脂製の被覆部（図５（ｄ）の１１ｅ）を取り除いて単芯分離を行うものであって、狭持部２ｂ，３ｂの先端部２ｂ２，３ｂ２の近傍に配されており、第１桿体部２の狭持空間Ｓ２（図１参照）側に配された第１鑢部７ａと、第２桿体部３の狭持空間Ｓ２側に配された第２鑢部７ｂとによって構成されている。
【００５９】
図１及び図３に示すように、第１鑢部７ａは、鑢部７の内側となる狭持空間Ｓ２側が、平坦な鑢状に構成されて鑢面部７ａ１を構成している。また、第２鑢部７ｂも同様に狭持空間Ｓ２側が、平坦な鑢状に構成されて鑢面部７ｂ１を構成しており、狭持部２ｂ，３ｂが閉じた場合には、平坦な鑢面部７ａ１と鑢面部７ｂ１とが互いに密着し合う構成となっている。
【００６０】
加工部としての鑢部７の使用方法について説明するに、対向する２つのハンドル部２ａとハンドル部３ａとを離間させるように開くことにより、第１鑢部７ａと第２鑢部７ｂとの間を開き、テープ心線１１を鑢面部７ａ１と鑢面部７ｂ１との間に位置させる。
【００６１】
次に、ハンドル部２ａとハンドル部３ａとを握り、第１鑢部７ａと第２鑢部７ｂとの間の空間を閉じてテープ心線１１を、鑢面部７ａ１と鑢面部７ｂ１との間で軽く狭持する。
【００６２】
その後、テープ心線１１を鑢部７に対して相対的にスライドすることにより、テープ心線１１の被覆部１１ｅを剥がすことができる。このスライド動作は、テープ心線１１を常に引っ張る方向にのみ行って、テープ心線１１に損傷を与えない様、注意しながら行う必要がある。
【００６３】
また、テープ心線１１は、例えば、本説明に用いている４心のものでも、断面長手方向の幅径でも、１ｍｍ強であることが通常であり、テープ芯線１１の被覆部１１ｅの除去には細心の注意が必要である。そのため、鑢部７の使用にあたっては、ハンドル部２ａ，３ａによる操作の他、ストレス付加部６の外表面６ａ２，６ｂ２や、鑢部７の外表面７ａ２，７ｂ２を握って、より繊細な動作を可能とした状態でテープ芯線１１を軽く狭持して、スライド動作を行うことも可能である。
【００６４】
［本発明の光ファイバケーブル加工工具の使用手順］
本発明の光ファイバケーブル加工工具の使用手順を図１、図３、図４及び図５を用いて説明する。
【００６５】
図５（ａ）に示すように、まず、作業対象となるテープ心線１１及び他のテープ心線１２を含む光ファイバケーブル幹線１０の被覆部１０ａを除去する。次に、図５（ｂ）に示すように、露出したテープ心線１１，１２の束の中から、分岐対象のテープ心線１１を選別する。
【００６６】
選別したテープ心線が分岐対象のテープ心線１１であることの確認を、ストレス付加部６とＯＴＤＲ（光パルス試験器）等を使って行う。この確認を行うには、まず、図４（ａ）の如く、テープ心線１１を凹状部６ａ１と凸状部６ｂ１との間に位置させる。
【００６７】
次に、テープ心線１１を図４（ｂ）の如く、凹状部６ａ１と凸状部６ｂ１との間で軽く狭持して、湾曲させる。テープ芯線１１が狭持されている間の一時的な湾曲形状を利用して、テープ芯線１１の湾曲による光信号の変化をＯＴＤＲにより測定し、作業対象のテープ芯線であることの確認を行う。
【００６８】
次に、図５（ｃ）及び（ｄ）に示すように、分岐対象のテープ心線１１を他のテープ心線１２より分離した状態で、テープ心線を個々の単芯に分離する、単芯分離の作業を以下の手順で行う。
【００６９】
まず、鑢部７を用いてテープ心線１１の被覆部１１ｅを必要な長さだけ剥し、テープ心線１１をバラバラにする（図５（ｄ）参照）。
【００７０】
即ち、第１鑢部７ａと第２鑢部７ｂとの間を開き、テープ心線１１を鑢面部７ａ１と鑢面部７ｂ１との間に位置させ、第１鑢部７ａと第２鑢部７ｂとの間の空間を閉じてテープ心線１１を、鑢面部７ａ１と鑢面部７ｂ１との間で軽く狭持する。
【００７１】
その後、テープ心線１１を鑢部７に対して相対的にスライドすることにより、テープ心線１１の被覆部１１ｅを剥がすことができる。
【００７２】
そして、テープ心線１１から、作業対象の単芯１１ｄを取り出す。次に、ブラシ（市販の歯ブラシ等）を使って、鑢部７で被覆を剥した部分を梳いて、分岐対象のテープ心線１１の被覆部１１ｅを完全に除去する。さらに、取り出した芯線１１ｄに付着しているテープ心線の被覆部１１ｅの残渣を、アルコールを含ませたコットン等で拭き取り、単芯分離の作業が完了する。
【００７３】
次に、単芯１１ｄを図４（ｂ）のテープ芯線１１と同様に、凹状部６ａ１と凸状部６ｂ１との間で軽く狭持して、湾曲させる。単芯１１ｄの狭持されている間の一時的な湾曲形状を利用して、単芯１１ｄの湾曲による光信号の変化をＯＴＤＲにより測定し、作業対象の単芯であることの確認を行う。
【００７４】
その後、図１に示すように、切断部としての刃部５を用いて、作業対象の単芯１１ｄを切断し、分岐を行う。まず、第１刃部５ａと第２刃部５ｂとの間を開き、切断対象の単芯１１ｄと他の単芯１１ａ，１１ｂ，１１ｃとの間の間隙Ｋにハンドル部３ａを差し入れて、第１刃部５ａと第２刃部５ｂとの間に単芯１１ｄを置く。
【００７５】
そして、ハンドル部２ａとハンドル部３ａとを握り、光ファイバケーブル加工工具１を握る作業者の手１８とハンドル部２ａ，３ａにより形成された閉ループの内部に、他の単芯１１ａ，１１ｂ，１１ｃや、他のテープ心線１２が混入していないことを直視して確認し、第１刃部５ａと第２刃部５ｂとの間の空間を閉じて切断対象の単芯１１ｄの切断を行う。
【００７６】
その後、切断したセンター側の単芯１１ｄを宅内等に引き込み、分岐先の光ケーブルに接合したり、分岐装置（クロージャ）や、光回線終端装置等に接続する。
【００７７】
尚、単芯１１ｄを他の光ケーブルに接合、又は、分岐装置（クロージャ）や、光回線終端装置等に接続する場合は、分岐先においてさらに、光ファイバ切断用の専用工具により単芯１１ｄの先端部の切断を再度行い、切断部の断面形状が光信号の伝搬に影響を与えないようにする点は背景技術と同様である。
【００７８】
この発明は、その本質的特性から逸脱することなく数多くの形式のものとして具体化することができる。よって、上述した実施形態は専ら説明上のものであり、本発明を制限するものではないことは言うまでもない。
【符号の説明】
【００７９】
１        光ファイバケーブル加工工具
２        第１桿体部
２ａ      ハンドル部
２ａ１    基端部
２ａ２    先端部
２ｂ      狭持部
２ｂ１    基端部
２ｂ２    先端部
３        第２桿体部
３ａ      ハンドル部
３ａ１    基端部
３ａ２    先端部
３ａ３    薄肉部
３ｂ      狭持部
３ｂ１    基端部
３ｂ２    先端部
４        回転接合軸
５        刃部（切断部）
５ａ      第１刃部
５ｂ      第２刃部
６        ストレス付加部（加工部）
６ａ      第１ストレス付加部
６ａ１    凹状部
６ａ２    外表部
６ｂ      第２ストレス付加部
６ｂ１    凸状部
６ｂ２    外表部
７        鑢部（加工部）
７ａ      第１鑢部
７ａ１    鑢面部
７ａ２    外表部
７ｂ      第２鑢部
７ｂ１    鑢面部
７ｂ２    外表部
１０      光ファイバケーブル幹線
１０ａ    被覆部
１１      テープ心線
１１ａ    単芯
１１ｂ    単芯
１１ｃ    単芯
１１ｄ    単芯
１１ｅ    被覆部
１２      テープ心線
１６      従来の切断具（ニッパ）
１８      作業者の手
Ｋ        間隙
Ｓ１      対向空間
Ｓ２      挟持空間
Ｓ３      切断空間
【図１】
2013205668.tif 000003
【図２】
2013205668.tif 000004
【図３】
2013205668.tif 000005
【図４】
2013205668.tif 000006
【図５】
2013205668.tif 000007
【図６】
2013205668.tif 000008